(57)【特許請求の範囲】
【請求項１】
第１の装置と第２の装置との間にて情報を伝達する情報伝達システムであって、
前記第１の装置は、
前記第２の装置に伝達すべき第１の情報を表示する第１の表示手段と、
前記第１の表示手段に表示される前記第１の情報を用いて予め設定された情報生成処理を行うことにより、当該第１の情報に対応し、該第１の情報とは異なる照合用情報を生成する照合用情報生成手段と、
前記第２の装置にて表示された第２の情報を光学的に読み取る第１の読取手段と、
前記照合用情報生成手段にて生成された前記照合用情報と、前記第１の読取手段にて読み取られた前記第２の情報とを照合する照合手段とを有し、
前記第２の装置は、
前記第１の表示手段にて表示された前記第１の情報を光学的に読み取る第２の読取手段と、
前記第２の読取手段にて読み取られた前記第１の情報を用いて前記情報生成処理を行うことにより、当該第１の情報に対応し、該第１の情報とは異なる伝達用情報を生成する伝達用情報生成手段と、
前記伝達用情報生成手段にて生成された前記伝達用情報を前記第２の情報として表示する第２の表示手段とを有する情報伝達システム。
【発明の詳細な説明】
【技術分野】
【０００１】
本発明は、２つの装置間にて情報を伝達する情報伝達システムに関し、特に、情報の傍受回避技術に関する。
【背景技術】
【０００２】
近年、情報システムの発展に伴い、複数の装置間にて情報のやりとりが行われることが一般的になっている。このような複数の装置間における情報のやりとりにおいては、有線や無線を介して情報が送受信されることになるが、無線を用いた場合、装置間を配線等を用いて接続する必要がないため、装置の設置場所に規制がある場合や、装置を持ち運ぶ必要がある場合に有効である。このように、無線を用いて情報を送受信する場合は、一般的に電波を用いて情報を送受信することになるが、電波を用いた場合、その電波が傍受されると、送受信される情報が漏洩してしまうことになる。また、近年においては、赤外線やＲＦＩＤを用いた情報のやりとりが行われているが、これらにおいても上記同様に傍受によって情報が漏洩してしまう虞れがある。
【０００３】
ここで、サーバから送信された二次元コードをパーソナルコンピュータに表示し、その二次元コードを携帯端末にて画像読み取りすることにより認証を行うシステムが考えられており、特許文献１に開示されている。このように、パーソナルコンピュータに表示された情報を携帯端末にて画像読み取りする場合は、パーソナルコンピュータに表示された情報を携帯端末に対して電波を用いることなく伝達することができることになる。
【先行技術文献】
【特許文献】
【０００４】
【特許文献１】特許第３８８９０３０号公報
【発明の概要】
【発明が解決しようとする課題】
【０００５】
しかしながら、特許文献１に開示されたシステムにおいては、パーソナルコンピュータに表示された情報を携帯端末に対して電波を用いることなく伝達することができるものの、パーソナルコンピュータと携帯端末との間においての情報のやりとりが、パーソナルコンピュータから携帯端末への一方通行であるため、これら２つの装置間にて送受信される情報を用いた処理を行うためには、サーバからパーソナルコンピュータへの二次元コードの送信や、携帯端末にて画像読み取りした二次元コードによる情報のサーバへの送信が必要となり、これらの情報の送受信がインターネット等の通信網を介して行われていることにより、電波や赤外線等を用いて情報を送受信する場合と同様に、通信経路上における傍受によって情報が漏洩してしまう虞れがある。
【０００６】
本発明は、上述したような従来の技術が有する問題点に鑑みてなされたものであって、電波や赤外線等、第三者に傍受される可能性がある通信手段を用いることなく２つの装置間にて一連の情報をやりとりすることができる情報伝達システムを提供することを目的とする。
【課題を解決するための手段】
【０００７】
上記目的を達成するために本発明は、
第１の装置と第２の装置との間にて情報を伝達する情報伝達システムであって、
前記第１の装置は、
前記第２の装置に伝達すべき第１の情報を表示する第１の表示手段と、
前記第１の表示手段に表示される前記第１の情報を用いて予め設定された情報生成処理を行うことにより、当該第１の情報に対応し、該第１の情報とは異なる照合用情報を生成する照合用情報生成手段と、
前記第２の装置にて表示された第２の情報を光学的に読み取る第１の読取手段と、
前記照合用情報生成手段にて生成された前記照合用情報と、前記第１の読取手段にて読み取られた前記第２の情報とを照合する照合手段とを有し、
前記第２の装置は、
前記第１の表示手段にて表示された前記第１の情報を光学的に読み取る第２の読取手段と、
前記第２の読取手段にて読み取られた前記第１の情報を用いて前記情報生成処理を行うことにより、当該第１の情報に対応し、該第１の情報とは異なる伝達用情報を生成する伝達用情報生成手段と、
前記伝達用情報生成手段にて生成された前記伝達用情報を前記第２の情報として表示する第２の表示手段とを有する。
【０００８】
上記のように構成された本発明においては、第１の装置において第２の装置に伝達すべき第１の情報が第１の表示手段にて表示され、この第１の情報が第２の装置の第２の読取手段にて光学的に読み取られる。そして、第２の装置の伝達用情報生成手段において、第２の読取手段にて読み取られた第１の情報を用いて予め設定された情報生成処理が行われることにより第１の情報に応じた伝達用情報が生成される。その後、伝達用情報生成手段にて生成された伝達用情報が第２の装置の第２の表示手段にて第２の情報として表示され、この第２の情報が第１の装置の第１の読取手段にて光学的に読み取られる。
【０００９】
このように、第１の装置から第２の装置に伝達すべき第１の情報が、光学的に読み取られることによって第１の装置から第２の装置に伝達され、その後、第２の装置において第１の装置から伝達された第１の情報に対して予め設定された情報生成処理が行われることにより伝達用情報が生成され、この伝達用情報が光学的に読み取られることによって第２の装置から第１の装置に伝達されるので、電波や赤外線等、第三者に傍受される可能性がある通信手段を用いることなく２つの装置間にて一連の情報がやりとりされることになる。
【００１０】
また、第１の装置が、第１の表示手段に表示される第１の情報を用いて情報生成処理を行うことにより第１の情報に応じた照合用情報を生成する照合用情報生成手段と、照合用情報生成手段にて生成された照合用情報と第１の読取手段にて読み取られた第２の情報とを照合する照合手段とを有することにより、第１の装置と第２の装置との間にて送受信される情報を用いて認証を行うことができる。
【発明の効果】
【００１１】
以上説明したように本発明においては、第１の装置から第２の装置に伝達すべき第１の情報が、光学的に読み取られることによって第１の装置から第２の装置に伝達され、その後、第２の装置において第１の装置から伝達された第１の情報に対して予め設定された情報生成処理が行われることにより伝達用情報が生成され、この伝達用情報が光学的に読み取られることによって第２の装置から第１の装置に伝達される構成としたため、電波や赤外線等、第三者に傍受される可能性がある通信手段を用いることなく２つの装置間にて一連の情報をやりとりすることができる。
【００１２】
また、第１の装置が、第１の表示手段に表示される第１の情報を用いて情報生成処理を行うことにより第１の情報に応じた照合用情報を生成する照合用情報生成手段と、照合用情報生成手段にて生成された照合用情報と第１の読取手段にて読み取られた第２の情報とを照合する照合手段とを有することにより、第１の装置と第２の装置との間にて送受信される情報を用いて認証を行うことができる。
【図面の簡単な説明】
【００１３】
【図１】本発明の情報伝達システムの第１の実施の形態を示す図であり、（ａ）は概略図、（ｂ）は機能ブロック図である。
【図２】図１に示した情報伝達システムを用いた利用者認証方法を説明するためのフローチャートである。
【図３】図１に示したデータベースの構造の一例を示す図である。
【図４】本発明の情報伝達システムの第２の実施の形態を示す図であり、（ａ）は概略図、（ｂ）は機能ブロック図である。
【図５】図４に示した情報伝達システムを用いたアンケート回収方法を説明するためのフローチャートである。
【発明を実施するための形態】
【００１４】
以下に、本発明の実施の形態について図面を参照して説明する。
【００１５】
（第１の実施の形態）
図１は、本発明の情報伝達システムの第１の実施の形態を示す図であり、（ａ）は概略図、（ｂ）は機能ブロック図である。
【００１６】
本形態は図１に示すように、第１の装置となる情報処理端末１０と、第２の装置となる携帯端末２０との間にて一連の情報がやりとりされるものである。
【００１７】
情報処理端末１０は、情報処理端末１０本体となるサーバ１４と、第１の表示手段となるディスプレイ１１と、第１の読取手段となるバーコードリーダー１３と、キーボード１２とから構成されており、サーバ１４には、照合用情報生成手段となる乱数／パスワード生成部１５と照合部１６とが設けられ、さらに、データベース１７を有している。
【００１８】
携帯端末２０は、第２の表示手段となるディスプレイ２１と、第２の読取手段となるカメラ２３と、キー２２と、伝達用情報生成手段となるパスワード生成部２４とから構成されており、パスワード生成部２４は、携帯端末２０の所有者に予め与えられた利用者ＩＤを記憶したメモリ２５を有している。
【００１９】
キーボード１２は、情報を入力するためのものであって、利用者ＩＤが入力される。
【００２０】
乱数／パスワード生成部１５は、キーボード１２を介して利用者ＩＤが入力されると、第１の情報である乱数を生成し、また、予め設定された情報処理となるアルゴリズムで利用者ＩＤと乱数とから照合用情報であるパスワードを生成し、これら乱数とパスワードを利用者ＩＤと対応づけてデータベース１７に登録する。
【００２１】
ディスプレイ１１は、情報を表示するものであって、乱数／パスワード生成部１５にて生成された乱数を二次元コードとして表示する。
【００２２】
バーコードリーダー１３は、バーコード情報を光学的に読み取るものであって、携帯端末２０のディスプレイ２１に表示された二次元コードを読み取る。
【００２３】
照合部１６は、バーコードリーダー１３にて読み取られた二次元コードによるパスワードと、データベース１７に登録されたパスワードとを照合する。
【００２４】
キー２２は、情報を入力するものである。
【００２５】
カメラ２３は、情報を光学的に読み取るものであって、情報処理端末１０のディスプレイ１１に表示された二次元コードを読み取る。
【００２６】
パスワード生成部２４は、カメラ２３にて読み取られた二次元コードによる乱数とメモリ２５に記憶された利用者ＩＤとを用いて、情報処理端末１０の乱数／パスワード生成部１５と同じアルゴリズムでこれら乱数と利用者ＩＤとから伝達用情報であるパスワードを生成する。
【００２７】
ディスプレイ２１は、情報を表示するものであって、パスワード生成部２４にて生成されたパスワードを二次元コードとし、第２の情報として表示する。
【００２８】
以下に、上記のように構成された情報伝達システムを用いた利用者認証方法について説明する。
【００２９】
図２は、図１に示した情報伝達システムを用いた利用者認証方法を説明するためのフローチャートである。
【００３０】
携帯端末２０の所有者が、予め与えられている利用者ＩＤを情報処理端末１０にキーボード１２を介して入力すると（ステップＳ１）、まず、情報処理端末１０にて予め設定されているアプリケーションが起動し、乱数／パスワード生成部１５において乱数が生成される（ステップＳ２）。
【００３１】
また、乱数／パスワード生成部１５において、そのアプリケーションによるアルゴリズムによって、キーボード１２を介して入力された利用者ＩＤと、生成された乱数とからパスワードが生成される（ステップＳ３）。
【００３２】
そして、乱数／パスワード生成部１５にて生成された乱数とパスワードが、利用者ＩＤに対応づけられてデータベース１７に登録される（ステップＳ４）。
【００３３】
図３は、図１に示したデータベース１７の構造の一例を示す図である。
【００３４】
図３に示すように、データベース１７には、この情報伝達システムを利用する利用者の住所や氏名等の利用者情報が、その利用者に予め与えられた利用者ＩＤに対応づけて登録されており、乱数／パスワード生成部１５にて乱数とパスワードが生成されると、これら乱数とパスワードが、ステップＳ１にてキーボード１２を介して入力された利用者ＩＤと対応づけて登録されることになる。
【００３５】
また、乱数／パスワード生成部１５にて乱数が生成されると、生成された乱数が二次元コードとしてディスプレイ１１に表示される（ステップＳ５）。
【００３６】
乱数／パスワード生成部１５にて生成された乱数が二次元コードとしてディスプレイ１１に表示された状態において、携帯端末２０の所有者が、ディスプレイ１１に二次元コードとして表示された乱数をカメラ２３によって光学的に読み取ると（ステップＳ６）、携帯端末２０において情報処理端末１０と同じアプリケーションが起動し、パスワード生成部２４において、カメラ２３によって読み取られた二次元コードによる乱数が認識され、起動したアプリケーションによるアルゴリズムによって、認識された乱数とメモリ２５に登録された利用者ＩＤとからパスワードが生成される（ステップＳ７）。すなわち、パスワード生成部２４においては、カメラ２３にて読み取られた乱数を用いて、情報処理端末１０の乱数／パスワード生成部１５にてパスワードが生成されたアルゴリズムによる処理が行われることによって、カメラ２３にて読み取られた乱数に応じたパスワードが生成されることになる。なお、パスワード生成部２４においては、上述したように、携帯端末２０の所有者の利用者ＩＤがメモリ２５に記憶されているため、カメラ２３にて読み取られた乱数と携帯端末２０の所有者の利用者ＩＤとからパスワードを生成することができる。
【００３７】
パスワード生成部２４にて生成されたパスワードは、二次元コードとしてディスプレイ２１に表示される（ステップＳ８）。
【００３８】
その後、携帯端末２０の所有者が、ディスプレイ２１に二次元コードとして表示されたパスワードを情報処理端末１０のバーコードリーダー１３に読み取らせると（ステップＳ９）、照合部１６において、バーコードリーダー１３によって読み取られた二次元コードによるパスワードが認識され、バーコードリーダー１３にて読み取られた二次元コードによるパスワードが、データベース１７に登録されたパスワードのうち、ステップＳ１にてキーボード１２を介して入力された利用者ＩＤに対応づけて登録されたパスワードと照合される（ステップＳ１０）。
【００３９】
ここで、データベース１７に利用者ＩＤと対応づけて登録されたパスワードは、情報処理端末１０にて予め設定されているアプリケーションによるアルゴリズムによって、キーボード１２を介して入力された携帯端末２０の所有者の利用者ＩＤと、この利用者ＩＤが入力された際に生成された乱数とから生成されたものであり、また、携帯端末２０のディスプレイ２１にて二次元コードとして表示されたパスワードは、携帯端末２０において、情報処理端末１０と同じアプリケーションによるアルゴリズムによって、情報処理端末１０にて上記のように生成されて携帯端末２０のカメラ２３にて読み取られた乱数と、メモリ２５に記憶された携帯端末２０の所有者の利用者ＩＤとから生成されたものであるため、携帯端末２０の所有者が、その所有者の利用者ＩＤをキーボード１２を介して情報処理端末１０に入力した場合は、これら２つのパスワードは一致するものとなる。そのため、照合部１６における照合結果を用いて利用者を認証することができる。
【００４０】
このように本形態においては、情報処理端末１０にて携帯端末２０の所有者を認証するために生成された乱数が光学的に読み取られることによって情報処理端末１０から携帯端末２０に伝達され、その後、携帯端末２０において情報処理端末１０から読み取られた乱数に応じたパスワードが生成され、このパスワードが光学的に読み取られることによって携帯端末２０から情報処理端末１０に伝達される構成としたため、情報処理端末１０にて生成された乱数や、携帯端末２０にてその乱数に応じて生成されたパスワードを、電波や赤外線等、第三者に傍受される可能性がある通信手段を用いることなく情報処理端末１０と携帯端末２０との間にてやりとりすることができる。
【００４１】
なお、本形態においては、乱数／パスワード生成部１５において、乱数を生成した直後に、この乱数と利用者ＩＤとを用いてパスワードを生成しているが、パスワードの生成を、携帯端末２０のディスプレイ２１に表示されたパスワードがバーコードリーダー１３にて読み取られた際に行うような構成とすることも考えられる。
【００４２】
また、携帯端末２０において、パスワード生成部２４にて生成されたパスワードを暗号化してディスプレイ２１に表示し、情報処理端末１０のバーコードリーダー１３にてそのパスワードを読み取った後に復号化し、復号化したパスワードとデータベース１７に登録されたパスワードとを照合部１６にて照合する構成とすることも考えられる。この場合、携帯端末２０にてパスワードを暗号化するためのアルゴリズムと、情報処理端末１０にて読み取ったパスワードを復号化するためのアルゴリズムとは一対となるものであって、パスワードを暗号化するためのアルゴリズムは携帯端末２０に、また、暗号化されたパスワードを復号化するためのアルゴリズムは情報処理端末１０にそれぞれ予め設定されている。
【００４３】
（第２の実施の形態）
図４は、本発明の情報伝達システムの第２の実施の形態を示す図であり、（ａ）は概略図、（ｂ）は機能ブロック図である。
【００４４】
本形態は図４に示すように、第１の装置となる情報処理端末１１０と、第２の装置となる携帯端末１２０との間にて一連の情報がやりとりされるものである。
【００４５】
情報処理端末１１０は、情報処理端末１１０本体となるサーバ１１４と、第１の表示手段となるディスプレイ１１１と、第１の読取手段となる画像読取器１１３と、キーボード１１２とから構成されており、サーバ１１４には、質問内容生成部１１５と回答回収部１１６とが設けられ、さらに、データベース１１７を有している。
【００４６】
携帯端末１２０は、第２の表示手段となるディスプレイ１２１と、第２の読取手段となるカメラ１２３と、キー１２２と、伝達用情報生成手段となる回答集計部１２４とから構成されている。
【００４７】
キーボード１１２は、情報を入力するためのものであって、利用者ＩＤが入力される。
【００４８】
質問内容生成部１１５は、データベース１１７に登録されたアンケート内容のうち、キーボード１１２を介して入力された利用者ＩＤに応じたアンケート内容を抽出し、第１の情報である質問内容を生成する。
【００４９】
ディスプレイ１１１は、情報を表示するものであって、質問内容生成部１１５にて生成された質問内容を表示する。
【００５０】
画像読取器１１３は、情報を光学的に読み取るものであって、携帯端末１２０のディスプレイ１２１に表示された情報を読み取る。
【００５１】
回答回収部１１６は、画像読取器１１３にて読み取られた情報によって、アンケートの回答を回収し、データベース１１７に登録する。
【００５２】
キー１２２は、情報を入力するものであって、情報処理端末１１０から伝達されたアンケートに対する回答が入力される。
【００５３】
カメラ１２３は、情報を光学的に読み取るものであって、情報処理端末１１０のディスプレイ１１１に表示された質問内容を読み取る。
【００５４】
回答集計部１２４は、カメラ１２３にて読み取られた質問内容について、キー１２２を介して入力された回答を集計する。
【００５５】
ディスプレイ１２１は、情報を表示するものであって、回答集計部１２４にて集計されたアンケートの回答を第２の情報として表示する。
【００５６】
以下に、上記のように構成された情報伝達システムを用いたアンケート回収方法について説明する。
【００５７】
図５は、図４に示した情報伝達システムを用いたアンケート回収方法を説明するためのフローチャートである。
【００５８】
携帯端末１２０の所有者が、予め与えられている利用者ＩＤを情報処理端末１１０にキーボード１１２を介して入力すると（ステップＳ１０１）、まず、情報処理端末１１０にて予め設定されているアプリケーションが起動し、質問内容生成部１１５において、データベース１１７に登録されたアンケート内容のうち、キーボード１１２を介して入力された利用者ＩＤに応じたアンケート内容が抽出され、質問内容が生成される（ステップＳ１０２）。ここで、データベース１１７においては、アンケートのための質問事項が登録されているとともに、この情報伝達システムを利用する利用者の住所や氏名等の利用者情報が、その利用者に予め与えられた利用者ＩＤに対応づけて登録されており、さらに、質問事項のそれぞれについて、その質問の対象者の年齢や住んでいる地域等が設定されており、この設定に基づいてキーボード１１２を介して入力された利用者ＩＤに応じたアンケート内容が抽出されることになる。
【００５９】
質問内容生成部１１５にて生成された質問内容は、例えば、二次元コードとしてディスプレイ１１１に表示される（ステップＳ１０３）。なお、質問内容生成部１１５にて生成された質問内容の量が多い場合は、質問内容生成部１１５にて生成された質問内容をいくつかに分けてそれぞれ二次元コードとして表示したり、質問内容生成部１１５にて生成された質問内容をそのまま表示したりすればよいが、ディスプレイ１１１に表示された質問内容を携帯端末１２０のカメラ１２３にて読み取ることができるような形態で表示する必要がある。
【００６０】
質問内容生成部１１５にて生成された質問内容がディスプレイ１１１に表示された状態において、携帯端末１２０の所有者が、ディスプレイ１１１に表示された質問内容をカメラ１２３によって光学的に読み取ると（ステップＳ１０４）、携帯端末１２０において情報処理端末１１０と同じアプリケーションが起動し、回答集計部１２４において、カメラ１２３によって読み取られた質問内容が認識され、認識された質問内容がディスプレイ１２１に表示される（ステップＳ１０５）。この際、ディスプレイ１１１にて表示された質問内容が二次元コードによるものである場合は、カメラ１２３にて二次元コードとして読み取られた質問内容が、携帯端末１２０の利用者が認識可能な形態に変換されてディスプレイ１２１に表示されることになる。
【００６１】
そして、携帯端末１２０の利用者が、ディスプレイ１２１に表示された質問内容に対する回答をキー１２２を介して入力すると（ステップＳ１０６）、回答集計部１２４において、起動したアプリケーションによるアルゴリズムによって、キー１２２を介して入力された回答が、情報処理端末１１０から読み取られた質問内容に付与される集計処理が行われ、回答が付与された質問内容が伝達用情報として生成される（ステップＳ１０７）。
【００６２】
回答集計部１２４にて生成された、回答が付与された質問内容は、例えば、二次元コードとしてディスプレイ１２１に表示される（ステップＳ１０８）。なお、情報処理端末１１０のディスプレイ１１１における質問内容の表示と同様に、回答集計部１２４にて生成された、回答が付与された質問内容の量が多い場合は、それらをいくつかに分けてそれぞれ二次元コードとして表示したり、回答集計部１２４にて生成された、回答が付与された質問内容をそのまま表示したりすればよいが、ディスプレイ１２１に表示された、回答が付与された質問内容を情報処理末１１０の画像読取器１１３にて読み取ることができるような形態で表示する必要がある。
【００６３】
その後、携帯端末１２０の所有者が、ディスプレイ１２１に表示された、回答が付与された質問内容を情報処理端末１１０の画像読取器１１３に読み取らせると（ステップＳ１０９）、回答回収部１１６において、画像読取器１１３にて読み取られた回答が認識され、認識された回答が、ステップＳ１０１にてキーボード１１２を介して入力された利用者ＩＤに対応づけてデータベースに登録されることによって回収される（ステップＳ１１０）。
【００６４】
このように本形態においては、携帯端末１２０の所有者に対するアンケートのための質問内容が光学的に読み取られることによって情報処理端末１１０から携帯端末１２０に伝達され、その後、携帯端末１２０において情報処理端末１１０から読み取られた質問内容に応じた回答が付与される処理が行われ、この回答が付与された質問内容が光学的に読み取られることによって携帯端末１２０から情報処理端末１１０に伝達される構成としたため、携帯端末１２０の所有者に対するアンケートのための質問内容や、それに対する回答を、電波や赤外線等、第三者に傍受される可能性がある通信手段を用いることなく情報処理端末１１０と携帯端末１２０との間にてやりとりすることができる。
【符号の説明】
【００６５】
１０，１１０    情報処理端末
１１，２１，１１１，１２１    ディスプレイ
１２，１１２    キーボード
１３    バーコードリーダー
１４，１１４    サーバ
１５    乱数／パスワード生成部
１６    照合部
１７，１１７    データベース
２０，１２０    携帯端末
２２，１２２    キー
２３，１２３    カメラ
２４    パスワード生成部
２５    メモリ
１１３    画像読取器
１１５    質問内容生成部
１１６    回答回収部
１２４    回答集計部
【図１】
0005548000.tif 000002
【図２】
0005548000.tif 000003
【図３】
0005548000.tif 000004
【図４】
0005548000.tif 000005
【図５】
0005548000.tif 000006